(57)【特許請求の範囲】
【請求項１】
駆動可能な脱毛ヘッド部を有する脱毛器上のカバー器具であって、
該脱毛ヘッド部は、
・  作業面に分布して前記脱毛ヘッド部が駆動される際に動きの経路上を動く複数の挟み付け要素と、
・  該挟み付け要素間において毛を捉えて引き抜くよう、前記挟み付け要素を摘採域の領域内の相対する挟み付け接点へと動かし、続いて前記挟み付け要素を離すよう設計された作動部材と、
・  該作動部材を制御する少なくとも１つのカム要素と、
を有し、
当該カバー器具は、個別のマスキング帯が間に形成される複数の開口を有して構成され、該マスキング帯が少なくとも１つの挟み付け要素を覆い、それによって該少なくとも１つの挟み付け要素が毛を捉えることを防ぐよう適合され、
当該カバー器具は、毛が挟み付けられることを防ぐよう前記マスキング帯を用いて前記挟み付け要素の少なくとも１つの動きの経路を覆うよう適合され、該少なくとも１つの動きの経路は、前記開口部における前記摘採域の領域に露出された２つの動きの経路の間にあり、その関連する挟み付け要素の組は毛を捉える位置にある、
ことを特徴とする脱毛器上のカバー器具。
【請求項２】
個別のマスキング帯が間に形成される複数の開口を有する帯状のカバーとして構成される、
ことを特徴とする請求項１記載のカバー器具。
【請求項３】
前記開口又は前記マスキング帯は、前記挟み付け要素の前記動きの経路に対して傾斜した関係で延在し、前記カム要素の制御に制御されて閉じる運動が行なわれる範囲における前記挟み付け要素の前記動きの経路に交差する、
ことを特徴とする請求項２記載のカバー器具。
【請求項４】
取外し可能なアタッチメントとして構成される、
ことを特徴とする請求項１乃至３のうちいずれか一項記載のカバー器具。
【請求項５】
弓状フォイルとして構成される、
ことを特徴とする請求項１乃至４記載のカバー器具。
【請求項６】
前記フォイルは、取付枠において維持される、
ことを特徴とする請求項５記載のカバー器具。
【発明の詳細な説明】
【技術分野】
【０００１】
本発明は、請求項１記載の従来技術部分に従った脱毛器上の器具に係る。
【背景技術】
【０００２】
この種類の器具は、特開平７−２８９３５０号公報（特許文献１）より既知である。
【０００３】
特許文献１に開示されたアタッチメントは、脱毛シリンダの端部を覆う剛性な保護キャップとして、又は、脱毛器の筐体上を摺動的に案内される２個構成の器具として構成される。かかる器具の２個構成の構造は、マスキング要素を有する。マスキング要素は、脱毛の全幅が使用されるとき、支持面チークの範囲で実際の脱毛シリンダに対して横方向に隣接して配置されるため、１個構成の保護キャップ同様、脱毛シリンダの端部領域は覆われる。既知の器具では、動きの経路が端部の範囲内にある個々の挟み付け要素は、摘採中に毛を受けることが出来ないように覆われ得る。
【０００４】
既知の器具によれば、痛みに関する主観的知覚は、摘採動作に関わる挟み付け要素の数を低減することによって低減される。それは、単位時間当たりにより少ない摘採処置がなされるためであるが、一方では同時に、機器の動作中の脱毛幅が相当量低減され、ユーザは頻繁に脱毛器を横方向に動かす必要がある。
【特許文献１】特開平７−２８９３５０号公報
【発明の開示】
【発明が解決しようとする課題】
【０００５】
従って、本発明は、前述された種類の脱毛器上の器具を提案することを目的とする。当該器具は、脱毛の際の主観的に感じられる痛みの相当な低減を保証するが、器具の脱毛に関わる使用可能な幅の低減を招かない一方、同時に容易な製造及び使用を可能にする。特に、脱毛器へのいかなる変更も必要とせずに、低コストでの付属品の製造が可能であるべきである。
【課題を解決するための手段】
【０００６】
かかる目的は、請求項１で特徴付けられた特性を備えた本発明に従って達成される。
【０００７】
本発明の解決方法をもって、時間単位あたりの挟み付け処置の数を低減するための個々の挟み付け要素の動作しない状態は、脱毛ヘッド部の全幅にわたって分布される。このようにすると、脱毛ヘッド部の有効な幅は保たれるか極く僅かに低減される。
【０００８】
本発明の器具は、間に個別のマスキング帯が形成される複数の開口を有する帯状のカバーとして構成されることによって、特に容易に更に展開され得る。これらの開口またはマスキング帯を挟み付け要素の動きの経路に対して傾斜関係に配置することによって、このカバーの特に丈夫な構成が達成され得る。これによって同様に、マスキング帯は、非常に薄い壁の厚さに対して作られ得るため、挟み付け要素は、マスキング帯の存在に関わらず、皮膚及び毛根の非常に近くに維持され得、特に重要なのは、毛は可能な限り痛みがなく引き抜かれることを確実にすることである。
【０００９】
有利には、器具は取外し可能なアタッチメントとして構成され、皮膚のより傷つきやすくない領域では、器具が取り付けられず且つ特に高い効率性を有して、同一の器具を使用して脱毛が行なわれ得るようにする。一方、傷つきやすい皮膚の領域の脱毛に関しては、器具は、動作をする摘採要素の数、ひいては痛みに関する主観知覚を低減するよう、付属品として取り付けられる。当然のことながら、本発明によれば、かかる器具を脱毛器のヘッド部に恒久器具として組み入れることも可能であることが理解されるであろう。これは特に、脱毛器が少なくとも２つの分離可能且つ互いに置換え可能な脱毛ヘッド部を備え、そのうちの一方が本発明の器具を一体にされる場合に適している。またこれによると、脱毛システムは、適切な脱毛ヘッド部を使用することによってユーザが最大限の効率性と最大限の痛みの低減との間で選択することが可能なように与えられる。
【００１０】
挟み付け要素と脱毛される皮膚との間で広がる距離に関する不利点を避けるよう、本発明の更なる実施例により、器具は弓状フォイルとして構成される。この構成により、特に取扱いに関して、フォイルが取付枠において維持される際に有利となる。
【発明を実施するための最良の形態】
【００１１】
本発明の更なる目的、特性、利点、及び応用の可能性は、実施例に関する次の説明より明らかとなるであろう。図面によって説明又は示されるいずれの単一の特性又は単一の特性のいずれの組合せも、クレーム又はバックレファレンスでの要約に関わりなく、本発明の主題を形成することが理解されるであろう。
【００１２】
図１中の脱毛ヘッド部１は、基本的に、長手方向軸の周りにおける回転に対する側壁２及び３において有される脱毛器シリンダからなる。脱毛ヘッド部１は、夫々が挟み付け要素６を受容している半径方向に延びる穴５を有する複数の円盤４からなる。１つの挟み付け要素６は、従来技術で既知の制御機構によって互い向かって動かされ、また互いに対して離される２つの挟み付け刃７を有する。かかる制御機構の複数の可能な実施例のうちの１つは、以下に説明されるであろう。
【００１３】
この状況では、側壁２，３に、個別のカム要素８が与えられる。かかるカム要素８は、ローラとして構成され、また、脱毛シリンダ１の回転中に、各挟み付け要素６に関連付けられる押し棒９に圧力をかけ、かかる圧力によって挟み付け要素６を閉じる。この瞬間に関係する挟み付け刃７、即ち閉じる方向に動かされた刃の間にある毛は、刃の間にとらえられ、脱毛ヘッド部の回転によって皮膚から抜き取られ、続く脱毛ヘッド部の回転を利用して遠心力によって排出される。
【００１４】
脱毛ヘッド部１の回転は、図示されていないモータの駆動小歯車１０を介してもたらされる。駆動小歯車１０は、側壁２に隣接する脱毛ヘッド部１の端部範囲に与えられた環状歯車１１とかみ合う。
【００１５】
脱毛ヘッド部１は、１１個の円盤要素４からなり、その間に各２つの挟み付け刃７が関連する穴５内に配置される。故に、１０組の挟み付け刃が与えられる。これらは、円周に弧３６°の間隔で置かれ、円盤の穴５に沿って円盤４を介して延在する。結果として、２つの協働する挟み付け刃７の端部は、夫々２つの正反対に対向する挟み付け要素６を形成する。従って、脱毛ヘッド部の構造的な設計は、国際公開第９８／０５２３４号パンフレットに開示されたものに基本的に一致する。
【００１６】
動作中の脱毛器に伴い、２つの挟み付け要素６は常に、回転中に側壁３及び２において夫々配置された２つのカム要素８と位置が合うと同時に閉じる。同時に、挟み付け要素と関連する押し棒９は、脱毛ヘッド部１の回転の軸に対して平行に伝わる一連の動きを伴って、内側に促される。故に、３６°を介する各回転において、挟み付け動作又は摘採処置は、円筒のエンベロープ面上の２箇所で行なわれる。
【００１７】
図２及び図３は、脱毛シリンダの作動要素及び支持面が筐体１５によって隠されている実用的な実施例における脱毛器の上方部分を図示する。駆動機構、電源、及び脱毛器をオン及びオフにするスイッチを受容する本筐体の下方部は、図解をより明確にするために図示しない。２つのボタン型の固定要素１６は、脱毛シリンダ１の下方の領域の筐体１５上に配置される。これらの固定要素１６は、横方向に互いに対して間をおいて置かれ、図２中に示す筐体１５の前側及び筐体１５の後背側のいずれにも与えられる。これらの横方向の距離は、脱毛ヘッド部１の脱毛幅２０に略一致し、脱毛ヘッド部の回転の軸に沿う２つの外側の挟み付け要素６の相対距離によって順次決定される。脱毛ヘッド部の回転中の挟み付け要素６の動きの環状の経路は、脱毛ヘッド部の回転の軸に対して垂直平面で伝わる。本実施例では、１０の動きの経路があり、夫々に沿って２つの挟み付け要素を動かす。各動きの経路上、挟み付け要素６の２つの開閉の処置が回転ごとに行なわれる。
【００１８】
要求に応じて脱毛中の痛みの感覚を低減するよう、カバー器具２２は、脱毛器又はその筐体１５に取り付けられ、脱毛ヘッド部１を包含するようにされ得る。
【００１９】
図３は、カバー器具２２がはめ込まれた脱毛器を図示する。かかる器具は、固定要素１６を用いて筐体１５上に固定される。
【００２０】
図４は、カバー器具２２を図示する。カバー器具２２は、相対的に間をおかれた一連のマスキング帯２３とその間に配置された開口２４を中央領域に有する、湾曲した薄壁のフォイルの形状である。図３中の取り付けられた状態では、マスキング帯２３は、挟み付け要素６の個々の動きの経路を覆い、従って関連する挟み付け要素が毛をつかむことを防ぐ。従って、同時摘採処置の数はそれに応じて低減される。狭端部２５の領域では、カバー器具２２は、固定要素１６とかみ合って固定する２つの穴２６を有する。これによって、カバー器具は、要求に応じ且つ何らかの取付けの労力も必要とせずに、ユーザが取付け及び取外しをするのに適切な構成要素として構成され得る。マスキング帯２３を適切に配置し、又は間隔をおいて置くことによって、挟み付け要素６の動きの経路のうち所定の数（本場合では１０のうち６）が動作しない状態にされるが、一方で脱毛の幅２０は変わらずに保持される。
【００２１】
図４から明らかである通り、開口２４が配置される取付枠２７は、狭端部２５の範囲に与えられる。これにより、脱毛器へのカバー器具２２の取付けが容易になる。しかしながら、取付枠２７は弓状の二次元枠として構成されることも可能であり、二次元枠は、脱毛ヘッド部１の外側の輪郭に追随し、続いてカバー器具の長い端部も包含する。マスキング帯２３は、また、挟み付け要素の動きの経路に対して傾斜して延在するよう配置され得、従って、カム要素８に制御されて閉じる動きが行なわれる範囲において該経路を横断する。マスキング帯の傾斜した形態は、カバー器具２２全体の安定性を高め、特に薄壁の構造を可能とする。
【図面の簡単な説明】
【００２２】
【図１】脱毛ヘッド部の概略図である。
【図２】脱毛ヘッド部の完成図である。
【図３】本発明の器具を取り付けられた脱毛ヘッド部の図である。
【図４】本発明の器具の斜視図である。
【図１】
0004511366.tif 000002
【図２】
0004511366.tif 000003
【図３】
0004511366.tif 000004
【図４】
0004511366.tif 000005